(57)【特許請求の範囲】
【請求項１】
ロール状に巻回された滅菌シートを内部に収納し、この滅菌シートを所定量取り出すディスペンサーであって、
所定間隔を介して平行に立設された一対の第１側板及び第２側板と、これら第１側板及び第２側板の上下端をそれぞれ連結する上下一対の第３側板及び第４側板と、前記第１側板及び第２側板の一方の側端を連結する第５側板とから構成され、全体として中空六面体状をなして前記滅菌シートのロールを収納する本体と、
前記本体から取り出し可能とされて前記ロールを支持するロール支持手段と、
前記ロールから繰り出された前記滅菌シート及び前記ロール支持手段を前記本体外に取り出すために前記本体の前記第１側板及び第２側板の他方の側端に設けられた開口と、
前記本体に着脱自在に支持されて前記開口を開閉可能とするとともに、前記開口から前記本体外に取り出された前記滅菌シートを保持する保持手段とを備える滅菌シート用ディスペンサー。
【請求項２】
前記ロール支持手段は、所定間隔を介して平行に立設された一対の第６側板及び第７側板と、これら第６側板及び第７側板の下端を連結する底板と、前記第６側板及び第７側板の上端中央部から下方に向けそれぞれ形成されたＵ字状をなす円溝間に水平に掛け渡されたパイプとから構成されている請求項１に記載の滅菌シート用ディスペンサー。
【請求項３】
前記ロール支持手段は、所定間隔を介して平行に立設された一対の第６側板及び第７側板間に、前記本体の第１側板及び第２側板と直交する軸線に沿って回転可能な一対の車輪を横並びに設け、これら車輪上に前記ロールを載置可能とした請求項１に記載の滅菌シート用ディスペンサー。
【請求項４】
前記保持手段が、前記本体外に排出された前記滅菌シートを載置する載置台と、載置された前記滅菌シートを前記載置台との間に挟持する押さえ板とを備える請求項１ないし３のいずれか１項に記載の滅菌シート用ディスペンサー。
【請求項５】
前記載置台及び／または前記押さえ板の前記滅菌シートとの当接面に、前記滅菌シートとの間の摩擦係数を増加させる加工が施されている請求項４に記載の滅菌シート用ディスペンサー。
【請求項６】
前記載置台が、前記保持手段に保持された前記滅菌シートを切断する切断手段を案内する案内手段を備える請求項４または５に記載の滅菌シート用ディスペンサー。
【請求項７】
少なくとも前記本体に収納された前記ロールが目視可能な位置に、可視光線が透過可能かつ紫外線の透過量を減少させる材質が使用されている請求項１ないし６のいずれか１項に記載の滅菌シート用ディスペンサー。
【請求項８】
上下に重ねた前記滅菌ロール用ディスペンサー間の位置ズレを防止するズレ防止手段を備える請求項１ないし７のいずれか１項に記載の滅菌シート用ディスペンサー。
【請求項９】
前記ズレ防止手段は、複数のディスペンサーを上下に重ねて使用する場合に、上方に位置するディスペンサーを、下方に位置するディスペンサーの前記第５側板側に移動させることが可能である請求項８に記載の滅菌シート用ディスペンサー。
【発明の詳細な説明】
【０００１】
【発明の属する技術分野】
本発明は、滅菌シートを所定量取り出すためのディスペンサーに関する。
【０００２】
【従来の技術】
医療機関等で手術用具等を滅菌する場合、滅菌対象物が封入された滅菌バッグを、高温蒸気滅菌やエチレンオキサイドガス処理等にて滅菌する方法がある。滅菌バッグには、一定サイズの滅菌袋の他、長尺状をなす二枚のシートを重ね、その長手方向両端部を接着してなる滅菌シートが使用される。後者の場合、滅菌シートを滅菌対象物のサイズに応じた任意の長さに切断し、二枚のシート間に滅菌対象物を収納してから、開口端を接着することにより滅菌バッグを形成する。通常、滅菌シートは、ロール状に巻回されて紙箱に収納されており、紙箱に形成された開口から所定量ずつ取り出すか、あるいは滅菌シートのロール（以下、単に「ロール」と呼称する。）を紙箱から取り出して専用の架台に装着し、この架台から所定量ずつ繰り出して使用される。
【０００３】
【発明が解決しようとする課題】
しかしながら、紙箱に収納された滅菌シートを取り出して使用する場合には、紙箱に由来する紙粉等が滅菌シートに付着する可能性があった。また、ロールが紙箱内に隠れるため、滅菌シートの残量を把握しにくいという問題もあった。一方、ロールを架台に装着して使用する場合には、ロールが外気に露出しているため、外気中の埃や細菌等が滅菌シートに付着する可能性や、滅菌シートに印刷されている滅菌インジケーター等が、外気中の紫外線により変色（退色）する可能性があった。
【０００４】
【課題を解決するための手段】
本発明は上記事情に鑑みてなされたもので、ロール状に巻回された滅菌シートを内部に収納し、この滅菌シートを所定量取り出すディスペンサーであって、所定間隔を介して平行に立設された一対の第１側板及び第２側板と、これら第１側板及び第２側板の上下端をそれぞれ連結する上下一対の第３側板及び第４側板と、前記第１側板及び第２側板の一方の側端を連結する第５側板とから構成され、全体として中空六面体状をなして前記滅菌シートのロールを収納する本体と、前記本体から取り出し可能とされて前記ロールを支持するロール支持手段と、前記ロールから繰り出された前記滅菌シート及び前記ロール支持手段を前記本体外に取り出すために前記本体の前記第１側板及び第２側板の他方の側端に設けられた開口と、前記本体に着脱自在に支持されて前記開口を開閉可能とするとともに、前記開口から前記本体外に取り出された前記滅菌シートを保持する保持手段とを備えることを特徴としている。
【０００５】
この場合、前記ロール支持手段は、所定間隔を介して平行に立設された一対の第６側板及び第７側板と、これら第６側板及び第７側板の下端を連結する底板と、前記第６側板及び第７側板の上端中央部から下方に向けそれぞれ形成されたＵ字状をなす円溝間に水平に掛け渡されたパイプとから構成されていてもよい。
また、前記ロール支持手段は、所定間隔を介して平行に立設された一対の第６側板及び第７側板間に、前記本体の第１側板及び第２側板と直交する軸線に沿って回転可能な一対の車輪を横並びに設け、これら車輪上に前記ロールを載置可能としたものでもよい。
【０００６】
一方、保持手段が、本体外に排出された滅菌シートを載置する載置台と、載置された滅菌シートを載置台との間に挟持する押さえ板とを備えることが望ましい。載置台及び／または押さえ板の滅菌シートとの当接面に、滅菌シートとの間の摩擦係数を増加させる加工を施したり、載置台に、保持手段に保持された滅菌シートを切断する切断手段を案内する案内手段を設けてもよい。
【０００７】
また、少なくとも本体に収納されたロールが目視可能な位置、すなわち、本体やロール支持手段の可視光線が透過する部分の材質には、可視光線が透過可能かつ紫外線の透過量を減少させる材質を使用することが望ましい。
【０００８】
更に、上下に重ねたディスペンサー間の位置ズレを防止するズレ防止手段を設けてもよい。このズレ防止手段は、複数のディスペンサーを上下に重ねて使用する場合に、上方に位置するディスペンサーを、下方に位置するディスペンサーの前記第５側板側に移動させることが可能なものでもよい。
【０００９】
【発明の実施の形態】
以下、図面に基づき、本発明の実施形態について説明する。
本発明に係るディスペンサー（滅菌シート用ディスペンサー）の構造の例を図１及び図２に示す。図中符号２はディスペンサー１の本体である。本体２は、所定間隔を介して平行に立設された一対の側板２ａ，２ｂと、これら側板２ａ，２ｂの上下端をそれぞれ連結する上下一対の側板２ｃ，２ｄ及び、側板２ａ，２ｂの一方の側端（図では左端）を連結する側板２ｅとから構成され、全体として中空六面体状をなしている。また、側板２ａ，２ｂは上記ロールの直径より若干大型の正方形状をなし、かつ側板２ａ，２ｂ間の間隔、すなわち側板２ｃ，２ｄ，２ｅの幅は、上記ロールの幅より若干大きく設定されている。
【００１０】
側板２ｃの上面には、一対の突部２１が、側板２ａ，２ｂの近傍にて、側板２ｃの長手方向に沿って延設されるとともに、側板２ｄの下面には、ディスペンサー１を上下に重ねた際に突部２１と係合する位置に、一対の溝状をなす凹部２２が、側板２ｄの長手方向に沿って延設されている。すなわち、本実施形態においては、突部２１と凹部２２とにより、上下に重ねたディスペンサー１間の位置ズレを防止するズレ防止手段が形成されている。更に、凹部２２は、側板２ｄの下面を横断し、その両端が本体２の側端面（図では左右両面）に露出するよう延設されており、その結果、ディスペンサー１を上下に重ねた際に、上下のディスペンサー１を、突部２１及び凹部２２の延設方向に沿って相対移動させることが可能となっている。
【００１１】
一方、側板２ａ，２ｂの他方の側端（図では右端）は開口２ｆとされ、この開口２ｆを介して、ロール支持手段３が、本体２内に出し入れ可能とされている。ロール支持手段３は、所定間隔を介して平行に立設された一対の側板３１と、これら側板３１の下端を連結する底板３２と、側板３１の上端中央部から下方に向けそれぞれ形成されたＵ字状をなす円溝３１ａ間に水平に掛け渡されたパイプ３３とから構成されている。ここで、ロール支持手段３のサイズは本体２内に収納可能な程度とされ、かつ側板３１間の間隔、すなわち底板３２の幅は、上記ロールの幅より若干大きく設定されている。ここで、パイプ３３の直径はロールの巻芯である紙管（後述）の内径より細径もしくは同径とされている。また、パイプ３３の半径と円溝３１ａの底面の曲率半径とは、いずれが大きくても、あるいは小さくても支障ないが、パイプ３３を円滑に回転させるためには、回転時の安定性を考慮すると、パイプ３３の半径が、円溝３１ａの底面の曲率半径より若干小さいか、略同一であることが望ましい。
【００１２】
符号４は、本体２に着脱自在に支持されて開口２ｆを開閉可能とするとともに、ロールから繰り出された滅菌シートを保持する保持手段である。保持手段４は、側板２ｅと対向して設けられた上下一対のプレート４１，４２と、プレート４１の上端に、外方（図中右側）に向け水平に延設された載置台４３と、プレート４２の下端に、載置台４３と対向して外方に向け水平に延設された押さえ板４４とを備えている。また、載置台４３の先端は押さえ板４４より外方に突出し、その突出部分の上面には、案内溝（案内手段）４３ａが、側板２ａ，２ｂと直交する方向に、載置台４３を横断して延設されている。
【００１３】
これらプレート４１，４２の両端は、側板２ａ，２ｂに開口２ｆを挟んで対向して上下に延設された一対の溝部２ｇにそれぞれ嵌合され、その結果、これらプレート４１，４２は、溝部２ｇに沿ってそれぞれ上下動可能とされている。また、符号４５は、プレート４２の上下動を容易化するためのツマミである。
【００１４】
更に、図では示していないが、載置台４３の上面及び／または押さえ板４４の下面、すなわち滅菌シートとの当接面には、滅菌シートとの間の摩擦係数を増加させる加工が施されている。具体的な加工としては、機械加工による粗面化の他、繊維製品や樹脂加工品等の張り付け等が挙げられる。本実施形態の場合、押さえ板４４の下面に、マジックファスナーの一方の面を形成する、鈎状をなす多数の樹脂片を貼り付けることにより、滅菌シートとの間の摩擦係数を増加させている。
【００１５】
そして、上記本体２、ロール支持手段３、及び保持手段４とから、本発明に係るディスペンサー１が形成されている。また、ディスペンサー１の材質には特に制限はないが、内部が見えるように、その少なくとも一部が透明であることが望ましく、更に、この透明部分には、可視光線が透過可能かつ紫外線の透過量を減少させるために、例えばベンゾトリアゾール系等の紫外線吸収剤が配合された樹脂を使用することが望ましい。
【００１６】
次いで、上記構成を有するディスペンサー１の使用方法について以下に説明する。ディスペンサー１にロールを収納する場合、あるいは収納されたロールを交換する場合には、図２に示すように、プレート４１，４２を溝部２ｇに沿って上方に引き上げ、保持手段４を取り外す。そして、開口２ｆを介して本体２からロール支持手段３を取り出し、新たなロールの紙管にパイプ３３を挿通させた状態で、パイプ３３を円溝３１ａ間に掛け渡し、ロール支持手段３にロールを支持させる。
【００１７】
ロールがロール支持手段３に支持されたら、本体２内にロール支持手段３を戻し、更に、プレート４１を溝部２ｇに嵌合させるとともに、ロールから繰り出された滅菌シートを、載置台４３の上方に形成された空間（開口２ｆ）から外方に取り出す。そして、プレート４２を溝部２ｇに嵌合させ、開口２ｆを塞ぐとともに、ロールから繰り出された滅菌シートを、載置台４３と押さえ板４４との間に挟持することにより、ロールがディスペンサー１に収納されるとともに、ロールから繰り出された滅菌シートが保持手段４により保持される。
【００１８】
この状態を図３に示す。図３において、符号５が滅菌シート、符号５１が滅菌シート５のロール、符号５２が滅菌シート５が巻回された紙管である。この場合、滅菌シート５は、図３に示すようにロール５１の上方から繰り出しても、あるいはロール５１の下方から繰り出してもよいが、滅菌シート５に、長さの目安を始め各種の表示が印刷されている場合には、これらの表示を視認できるように、上方から繰り出すことが望ましい。
【００１９】
上記構成を有するディスペンサー１によれば、ロール５１が本体２により外部から隔離されるため、ロール５１を包装していた紙箱に由来する紙粉、あるいは空気中の埃や細菌等のロール５１への付着が防止され、常時清潔な滅菌シート５を使用することができる。また、ディスペンサー１の材質に、可視光線が透過可能かつ紫外線の透過を減少させる材質が使用されているため、ディスペンサー１内に収納された滅菌シート５の残量をディスペンサー１外から目視にて容易に把握可能で、しかも、滅菌シート５に印刷されている滅菌インジケータ等が、外気中の紫外線により変色することもない。更に、ロール５１を、紙箱に収納したまま使用するのではなく、ディスペンサー１に収納して使用するため、個々のロール５１の包装に、高価な紙箱ではなく、例えば樹脂フィルム等の安価な材料が使用可能となるという効果もある。
【００２０】
ディスペンサー１から滅菌シート５を取り出す場合には、ツマミ４５を持ってプレート４２を上方に持ち上げ、保持手段４により保持されていた滅菌シート５を外方に引き出す。すると、パイプ３３に支持されたロール５１がパイプ３３とともに、または単独で回転し、滅菌シート５がディスペンサー１から外方に繰り出される。ここで、ロール５１がパイプ３３とともに回転する場合には、滅菌シート５を外方に引き出す力は小さくて済むという利点があるが、ロール５１が過回転し、滅菌シート５が必要以上に繰り出される場合がある。一方、ロール５１のみが単独で回転する場合には、滅菌シート５を外方に引き出す力は大きくなるが、ロール５１が不要に回転せず、所望の長さの滅菌シート５が正確に繰り出されるという利点がある。
【００２１】
そして、所望の長さの滅菌シート５が繰り出された時点で、プレート４２を下げて滅菌シート５を載置台４３と押さえ板４４とで再度挟持した後、カッタ等の切断手段を用い、載置台４３上の滅菌シート５を切断する。この場合、滅菌シート５が押さえ板４４の自重により載置台４３側に付勢され、しかも、押さえ板４４の下面には滅菌シート５との間の摩擦係数を増加させる加工が施されているため、滅菌シート５の切断に際し、載置台４３上の滅菌シート５が、切断手段から印加された力により載置台４３と押さえ板４４との間で滑ったりすることがない。従って、切断中における滅菌シート５の位置ずれが防止され、その結果、滅菌シート５を、特に手で支えたりせずとも、容易かつ正確に切断することができる。更に、レザーカッタやローラカッタ等の切断手段（後述）を、載置台４３の上面に形成された案内溝４３ａに嵌合させ、この案内溝４３ａに沿って切断することにより、滅菌シート５を、案内溝４３ａの延設方向に沿った所望の形状（例えば直線状）に、正確に切断することができる。
【００２２】
案内溝４３ａを用いた滅菌シート５の切断の例を図４に示す。図４は、ローラカッタ６を案内溝４３ａに嵌合させて滅菌シート５を切断中の状況を示す、ローラカッタ６及び案内溝４３ａの横断面図である。この例では、ローラカッタ６の本体６１の厚さと案内溝４３ａの幅とが略同一とされており、その結果、本体６１を案内溝４３ａに嵌合させてローラカッタ６を案内溝４３ａに沿って移動させるだけで、本体６１の下端から突出する刃体６２が案内溝４３ａの底面上を走行し、滅菌シート５が切断される。特に、本体６１の厚さと案内溝４３ａの幅とが略同一とされているため、ローラカッタ６を案内溝４３ａの延設方向に沿って移動させる際に、案内溝４３ａの幅方向に沿った刃体６２のズレが防止され、滅菌シート５が、案内溝４３ａの延設方向に沿って正確に切断される。
【００２３】
また、複数のディスペンサー１を上下に重ねて使用する場合には、下方に位置するディスペンサー１の突部２１と、上方に位置するディスペンサー１の凹部２２とを係合させ、上下に重ねられたディスペンサー１間の位置ズレを防止する。更に、下方に位置するディスペンサー１からのロール支持手段３の着脱に際しては、上方に位置するディスペンサー１を突部２１及び凹部２２の延設方向に沿って後方（側板２ｅ側）に移動させた状態で、下方に位置するディスペンサー１のプレート４１，４２を溝部２ｇに沿って上方に引き上げ、保持手段４を取り外してから、事後の作業を行う。すなわち、上記構成を有するディスペンサー１によれば、複数のディスペンサー１を上下に重ねたまま、下方に位置するディスペンサー１のロール支持手段３を着脱させ、ロール５１の交換等の作業を行うことができる。
【００２４】
なお、ディスペンサー１を構成する各部材の具体的形状等は、収納されるロール５１の幅や直径、滅菌シート５の材質や形状（平袋やガゼット袋等）、あるいはディスペンサー１の使用環境等に応じ、本発明の趣旨を逸脱しない範囲で、任意に変更可能であることは言うまでもない。例えば、ロール支持手段３の構造には、上記図１ないし図３に示すものの他、図５や図６に例示するような構造も適用可能である。
【００２５】
図５に示すロール支持手段３は、一対の側板３１間に、側板２ａ，２ｂと直交する軸線に沿って回転可能な一対の車輪３４を横並びに設け、これら車輪３４上にロール５１を載置可能としたものである。このロール支持手段３を用いたディスペンサー１にロール５１を収納する場合、あるいはロール５１を交換する場合には、まず、プレート４１，４２を上方に引き上げて保持手段４を取り外す。次いで、本体２からロール支持手段３を取り出し、車輪３４上にロール５１を載置した後、本体２内にロール支持手段３を戻し、ロール５１から繰り出された滅菌シート５を、載置台４３と押さえ板４４との間に挟持させる。
【００２６】
滅菌シート５を取り出す場合には、ツマミ４５を持ってプレート４２を上方に持ち上げ、滅菌シート５を外方に引き出す。すると、車輪３４及び車輪３４上に載置されたロール５１が回転し、滅菌シート５がディスペンサー１から外方に繰り出される。このロール支持手段３によれば、紙管５２のサイズに係わらずロール５１が支持可能で、かつ紙管５２へのパイプ３３の挿通作業が不要となるという効果がある。
【００２７】
図６に示すロール支持手段３は、側板３１に形成された円溝３１ａの底面の曲率半径をパイプ３３の半径より大径とするとともに、円溝３１ａの底面中央部に、Ｕ字状をなす第二の円溝３１ｂを、その底面の曲率半径がパイプ３３の半径より小径となるよう、下方に向けそれぞれ形成したものである。その結果、個々の側板３１において、円溝３１ａの底面と第二の円溝３１ｂの底面との交点に、図６に符号３１ｃで示すような、上方に凸なる突部３１ｃがそれぞれ形成される。また、円溝３１ｂの底面の曲率半径がパイプ３３の半径より小径であるため、個々の側板３１に形成された一対の突部３１ｃ間の間隔も、パイプ３３の直径より短くなる。
【００２８】
このロール支持手段３を用いたディスペンサー１にロール５１を収納する場合、あるいはロール５１を交換する場合には、プレート４１，４２を上方に引き上げて保持手段４を取り外す。次いで、本体２からロール支持手段３を取り出し、紙管５２にパイプ３３を挿通させた状態で、パイプ３３を円溝３１ａ間に掛け渡す。その結果、パイプ３３が、個々の側板３１に形成された一対の突部３１ｃ上に載置され、ロール５１がロール支持手段３に支持される。ロール５１がロール支持手段３に支持されたら、本体２内にロール支持手段３を戻し、ロール５１から繰り出された滅菌シート５を、載置台４３と押さえ板４４との間に挟持させる。
【００２９】
滅菌シート５を取り出す場合には、ツマミ４５を持ってプレート４２を上方に持ち上げ、滅菌シート５を外方に引き出す。すると、突部３１ｃ上に載置されたロール５１が回転し、滅菌シート５がディスペンサー１から外方に繰り出される。このロール支持手段３によれば、パイプ３３が突部３１ｃのみで円溝３１ａ及び第二の円溝３１ｂに支持される。そのため、パイプ３３と円溝３１ａ及び第二の円溝３１ｂとの接触面積が小さくなり、ロール５１をパイプ３３とともに回転させる際の回転力が軽くて済むという効果や、径の異なるロール５１に巻回された滅菌シート５であっても、好適に使用できるという効果が得られる。他の操作及び作用効果等は、図１ないし図４に示すディスペンサー１と同様である。
【００３０】
なお、本実施形態の場合、押さえ板４４の下面に、滅菌シート５との間の摩擦係数を増加させる加工が施されているが、この加工は、載置台４３の上面及び押さえ板４４の下面の双方、あるいは載置台４３の上面のみに施されていてもよい。但し、滅菌シート５は、通常、紙または不織布製のシートと樹脂製のシートとを貼り合わせて形成されているため、その表裏で摩擦係数が異なる場合が多い。従って、保持手段４と滅菌シート５との間の摩擦係数を増加させ、保持手段４による滅菌シート５の保持をより確実に行うためには、上記加工を、載置台４３の上面及び押さえ板４４の下面のうち、少なくとも、滅菌シート５の、相対的に摩擦係数の大きい面（例えば紙または不織布製のシートで構成される面）との対向面に施すことが望ましい。
【００３１】
また、滅菌シート５を載置台４３と押さえ板４４との間に挟持させただけでは切断中に滅菌シート５が位置ずれを起こす可能性がある場合には、ツマミ４５を持って押さえ板４４を載置台４３側に押圧しつつ切断を行ってもよいが、押さえ板４４を載置台４３側に付勢する新たな手段を設けてもよい。
【００３２】
このような手段の例を図７に示す。この保持手段４では、載置台４３及び押さえ板４４の幅方向両端部に、載置台４３及び押さえ板４４を上下に貫通する貫通孔４３ｂ，４４ａが、滅菌シート５の保持部位を避けて、同軸をなすよう形成されている。貫通孔４４ａは貫通孔４３ｂより大径とされ、かつ貫通孔４３ｂ，４４ａには、貫通孔４３ｂの内面に形成された雌ネジと螺合するナット７が、上方（押さえ板４４側）から挿入されている。ナット７の頭部７１は貫通孔４４ａより大径とされ、かつ頭部７１の下面と押さえ板４４の上面との間には、ナット７に環装されたコイルバネ８が介在され、その結果、押さえ板４４は、コイルバネ８により下方に付勢された状態で、ナット７に沿って上下動可能とされている。また、コイルバネ８により押さえ板４４に印加された付勢力は、ナット７の貫通孔４３ｂへの挿入量を調節することにより、任意に調節可能である。
【００３３】
この保持手段４によれば、載置台４３と押さえ板４４との間に滅菌シート５を挟持した際に、滅菌シート５が、押さえ板４４の自重に加え、コイルバネ８により押さえ板４４に印加された任意の付勢力によって載置台４３側に付勢される。その結果、滅菌シート５を手で支えたり、ツマミ４５を持って押さえ板４４を載置台４３側に押圧したりせずとも、切断中における滅菌シート５の位置ずれを確実に防止することができる。
【００３４】
また、ディスペンサー１から滅菌シート５を取り出す場合には、ツマミ４５を持って、コイルバネ８の付勢力に抗してプレート４２を上方に持ち上げ、保持手段４により保持されていた滅菌シート５を外方に引き出す。一方、ディスペンサー１へのロール５１の着脱や、保持手段４への滅菌シート５の保持に際しては、必要に応じナット７を外して載置台４３と押さえ板４４とを分離可能としてから、事後の操作を行う。一方、載置台４３と押さえ板４４とを弾性変形可能なクランパにより上下から挟持したり、押さえ板４４に換え、載置台４３に設置されたピンあるいは他の構成により、載置台４３上に滅菌シート５を保持する構成としてもよい。
【００３５】
また、切断手段には、ローラカッタ６やレザーカッタのみならず、換え刃式のカッタ等ももちろん使用可能である。切断手段を案内溝４３ａに沿って自動走行させ、自動的に切断を行う構成としてもよい。また、ズレ防止手段についても、突部２１及び凹部２２に限られるものではなく、他の手段が適宜使用可能である。更に、可視光線が透過可能かつ紫外線の透過を減少させる材質は、必ずしもディスペンサー１全体に使用する必要はなく、少なくとも本体２内に収納されたロール５１が目視可能な位置に使用されていれば、その目的を達することができる。
【００３６】
【発明の効果】
以上説明した通り、本発明に係る滅菌シート用ディスペンサーによれば、ロールが本体により外部から隔離されるため、ロールを包装していた紙箱に由来する紙粉、あるいは空気中の埃や細菌等のロールへの付着が防止され、常時清潔な滅菌シートを使用することができる。
【００３７】
また、ロールから繰り出された滅菌シートを保持する保持手段が、滅菌シートを挟持する載置台と押さえ板とを備えている場合には、載置台及び／または押さえ板の滅菌シートとの当接面に、滅菌シートとの間の摩擦係数を増加させる加工を施すことにより、載置台上の滅菌シートを切断手段を用いて切断する際に、挟持された滅菌シートが載置台と押さえ板との間で滑ったりせず、その結果、切断中における滅菌シートの位置ずれが防止され、滅菌シートを、容易かつ正確に切断することができる。
【００３８】
更に、載置台に、切断手段を案内する案内手段を設けた場合には、切断手段を案内手段に嵌合させ、案内手段に沿って切断を行うことにより、滅菌シートを、案内手段に沿った所望の形状に、正確に切断することができる。
【００３９】
また、少なくとも本体に収納されたロールが目視可能な位置に、可視光線が透過可能かつ紫外線の透過を減少させる材質を使用した場合には、ディスペンサー内に収納された滅菌シートの残量をディスペンサー外から目視にて容易に把握可能で、しかも、滅菌シートに印刷されている滅菌インジケータ等が、外気中の紫外線により変色することもない。
【図面の簡単な説明】
【図１】  本発明に係る滅菌シート用ディスペンサーの構造の例を示す上方斜視図である。
【図２】  図１に示す滅菌シート用ディスペンサーの分解図である。
【図３】  図１に示す滅菌シート用ディスペンサーへのロールの収納状況の例を示す上方斜視図である。
【図４】  図１に示す滅菌シート用ディスペンサーにおける案内溝を用いた滅菌シートの切断状況の例を示す断面図である。
【図５】  本発明に係る滅菌シート用ディスペンサーにおけるロール支持手段の構造の例を示す側面図である。
【図６】  本発明に係る滅菌シート用ディスペンサーにおけるロール支持手段の構造の例を示す側面図である。
【図７】  本発明に係る滅菌シート用ディスペンサーにおける滅菌シートの保持状況の例を示す断面図である。
【符号の説明】
１  （滅菌シート用）ディスペンサー
２  本体
２ａ  第１側板
２ｂ  第２側板
２ｃ  第３側板
２ｄ  第４側板
２ｅ  第５側板
２ｆ  開口
３  ロール支持手段
３１  第６側板及び第７側板
４  保持手段
５  滅菌シート
２１  突部（ズレ防止手段）
２２  凹部（ズレ防止手段）
４３  載置台
４３ａ  案内溝（案内手段）
４４  押さえ板
５１  ロール
【図１】
0004298111.tif 000002
【図２】
0004298111.tif 000003
【図３】
0004298111.tif 000004
【図４】
0004298111.tif 000005
【図５】
0004298111.tif 000006
【図６】
0004298111.tif 000007
【図７】
0004298111.tif 000008